(57)【要約】【課題】十分な隠蔽性を有するとともに、製造工程が簡易であり、製造コストが安価である隠蔽層付の印刷物を提供する。【解決手段】基材１１上に、文字、図形、記号等の隠蔽すべき情報「◎◎◎」が印刷された隠蔽情報層１２と、隠蔽情報層１２と同一の情報「◎◎◎」の他に隠蔽すべき情報となり得る情報、類似の情報「△△△」等が印刷された疑似情報層１３と、隠蔽層１４と、が設けられ、隠蔽情報層１２上の全ての面に疑似情報層１３が設けられる印刷物１０ｅにより、上記課題を解決する。隠蔽層１４上に疑似情報層１３が設けられることが好ましく、隠蔽情報層１２を保護する透明保護層１５がさらに設けられていることが好ましい。【選択図】図２
2007130883.tif 000002
【特許請求の範囲】
【請求項１】
基材上に、文字、図形、記号等の隠蔽すべき情報が印刷された隠蔽情報層と、前記隠蔽すべき情報と同一の情報、前記隠蔽すべき情報と類似の情報又は前記隠蔽すべき情報となり得る情報の少なくともいずれか一が印刷された疑似情報層と、隠蔽層と、が設けられ、前記隠蔽情報層上の全ての面に前記疑似情報層が設けられることを特徴とする印刷物。
【請求項２】
前記隠蔽層上に前記疑似情報層が設けられることを特徴とする請求項１に記載の印刷物。
【請求項３】
前記隠蔽情報層を保護する透明保護層がさらに設けられることを特徴とする請求項１又は２に記載の印刷物。
【請求項４】
基材上に、文字、図形、記号等の隠蔽すべき情報が印刷された隠蔽情報層を形成し、
前記隠蔽情報層上の全ての面に前記隠蔽すべき情報と同一の情報、前記隠蔽すべき情報と類似の情報又は前記隠蔽すべき情報となり得る情報の少なくともいずれか一が印刷された疑似情報層を形成し、
前記隠蔽情報層上に前記隠蔽情報層を隠蔽する隠蔽層を形成することを特徴とする印刷物の製造方法。
【請求項５】
文字、図形、記号等の隠蔽すべき情報が印刷された隠蔽情報層が形成された基材上に、
前記隠蔽情報層上の全ての面に前記隠蔽すべき情報と同一の情報、前記隠蔽すべき情報と類似の情報又は前記隠蔽すべき情報となり得る情報の少なくともいずれか一が印刷された疑似情報層を形成し、
前記隠蔽情報層上に前記隠蔽情報層を隠蔽する隠蔽層を形成することを特徴とする隠蔽方法。
【発明の詳細な説明】
【技術分野】
【０００１】
本発明は、基材上に隠蔽する情報が印刷され、当該情報上に隠蔽層を設けた印刷物、印刷物の製造方法及び隠蔽方法に関する。
【背景技術】
【０００２】
スクラッチカード等の印刷物においては、紙等の基材に印刷した情報を、その上に設けられた隠蔽層により隠蔽している。しかし、このような隠蔽層付印刷物に強力な光を照射することにより、隠蔽したい印刷情報が裏面（印刷情報を有しない側）から透けて目視可能となってしまう場合がある。
【０００３】
これに対し、隠蔽層付印刷物の基材の裏面に濃い色の印刷層を設けたり、隠蔽層付印刷物の印刷情報と基材の間に濃い色の下地層を設けるなどして、印刷情報を隠蔽する手法が知られている。また、隠蔽効果を得るために、アルミニウム等からなる金属反射層を挟んだ用紙等の特殊な基材を用いた隠蔽層付印刷物も知られている。
【０００４】
また、隠蔽情報を透明保護層で覆い、その上に剥離可能な偽装情報を隠蔽情報と交互に形成し、さらにその偽装情報を覆ってスクラッチ層（隠蔽層）を形成した隠蔽情報担持体が知られている（特許文献１参照）。この隠蔽情報担持体は、隠蔽情報が外部から目視できたとしても、偽装情報も隠蔽情報と同様に目視可能となり、両方の情報が交錯して見えるので、正確な情報を判明できないものである。
【特許文献１】特開２００２−５２８７４号公報
【発明の開示】
【発明が解決しようとする課題】
【０００５】
上述のように、隠蔽層付印刷物の基材の裏面に濃い色の印刷層を設けた場合、絵柄に濃い色を用いるためデザインが制限されてしまうとともに、裏面印刷の工程も増える。一方、隠蔽層付印刷物の印刷情報と基材の間に濃い色の下地層を設けた場合、隠蔽層付印刷物が全体的に濃い色となってしまい、同様に絵柄のデザインが制限されてしまう。また、上述のような特殊な基材を用いた隠蔽層付印刷物は、製造コストが高くなる。
【０００６】
さらに、特許文献１に開示された隠蔽情報担持体においては、従来の印刷物と比較して層構成が複雑となり、偽装情報を隠蔽情報と交互に形成するために一の隠蔽情報に対応する偽装情報を各々形成する必要があり、製造コストも増加するという不都合があった。
【０００７】
本発明は、このような不都合に鑑みなされたものであり、十分な隠蔽性を有するとともに、製造工程が簡易であり、製造コストが安価である隠蔽層付の印刷物、印刷物の製造方法、このような印刷物における隠蔽方法を提供することを目的する。
【課題を解決するための手段】
【０００８】
上記課題を解決する本発明の印刷物は、基材上に、文字、図形、記号等の隠蔽すべき情報が印刷された隠蔽情報層と、前記隠蔽すべき情報と同一の情報、前記隠蔽すべき情報と類似の情報又は前記隠蔽すべき情報となり得る情報の少なくともいずれか一が印刷された疑似情報層と、隠蔽層と、が設けられ、前記隠蔽情報層上の全ての面に前記疑似情報層が設けられることを特徴とする印刷物である。
【０００９】
この発明によれば、文字、図形、記号等の隠蔽すべき情報が印刷された隠蔽情報層上の全ての面に隠蔽情報層と同一、類似の情報又は隠蔽情報層の情報となり得る情報が印刷された疑似情報層が設けられるため、印刷物に強力な光を当てて、当該印刷物を裏面から見たとしても、隠蔽すべき情報と同一又は類似の情報や隠蔽すべき情報となり得る情報がいずれも視認できる。そのため、このように不正に外部から隠蔽情報を知ろうとした人も、隠蔽情報層と疑似情報層との情報が同様に見えるので、印刷物において隠蔽された情報がわからなくなり、効果的に隠蔽情報層に印刷された情報を隠蔽できる。なお、疑似情報層と隠蔽層とは本発明の印刷物に必須の構成であるが、その積層順については限定されない。
【００１０】
また、少なくとも隠蔽情報層上の全ての面に疑似情報層を設ければよいため、疑似情報層の面積が隠蔽情報層の面積よりも大きくてもよく、疑似情報層形成時の精度が厳しく求められないため、製造工程も簡易となり、製造コストを低減することができる。
【００１１】
上記本発明の印刷物において、前記隠蔽層上に前記疑似情報層が設けられることを特徴とする。
【００１２】
この発明によれば、疑似情報層が隠蔽層上に設けられるため、従来の隠蔽層で覆われた印刷物と比べて印刷物の外観が著しく異なるものとなる。そのため、上述の印刷物の作用に加え、従来の印刷物と著しく異なった意匠性を有する印刷物を提供することができる。
【００１３】
上記本発明の印刷物において、前記隠蔽情報層を保護する透明保護層がさらに設けられることを特徴とする。
【００１４】
この発明によれば、隠蔽情報層が透明保護層により保護されているため、隠蔽層や疑似情報層を硬貨や爪などで引っ掻いて剥がした場合に、誤って隠蔽情報層まで剥がしてしまうことが防止される。
【００１５】
上記課題を解決する本発明の印刷物の製造方法は、基材上に、文字、図形、記号等の隠蔽すべき情報が印刷された隠蔽情報層を形成し、前記隠蔽情報層上の全ての面に前記隠蔽すべき情報と同一の情報、前記隠蔽すべき情報と類似の情報又は前記隠蔽すべき情報となり得る情報の少なくともいずれか一が印刷された疑似情報層を形成し、前記隠蔽情報層上に前記隠蔽情報層を隠蔽する隠蔽層を形成することを特徴とする印刷物の製造方法である。
【００１６】
この発明によれば、文字、図形、記号等の隠蔽すべき情報が印刷された隠蔽情報層上の全ての面に隠蔽情報層と同一、類似の情報又は隠蔽情報層の情報となり得る情報が印刷された疑似情報層が設けられるため、印刷物に強力な光を当てて、当該印刷物を裏面から見たとしても、隠蔽すべき情報と同一又は類似の情報や隠蔽すべき情報となり得る情報がいずれも視認できる。そのため、このように不正に外部から隠蔽情報を知ろうとした人も、隠蔽情報層と疑似情報層との情報が同様に見えるので、印刷物において隠蔽された情報がわからなくなり、効果的に隠蔽情報層に印刷された情報を隠蔽できる。なお、疑似情報層と隠蔽層とは本発明の印刷物の製造方法において必須に形成される層であるが、その形成する順については限定されない。
【００１７】
また、少なくとも隠蔽情報層上の全ての面に疑似情報層を設ければよいため、疑似情報層の面積が隠蔽情報層の面積よりも大きくてもよく、疑似情報層形成時の精度が厳しく求められないため、印刷物の製造工程が簡易となり、製造コストを低減することができる。
【００１８】
上記課題を解決する本発明の隠蔽方法は、文字、図形、記号等の隠蔽すべき情報が印刷された隠蔽情報層が形成された基材上に、前記隠蔽情報層上の全ての面に前記隠蔽すべき情報と同一の情報、前記隠蔽すべき情報と類似の情報又は前記隠蔽すべき情報となり得る情報の少なくともいずれか一が印刷された疑似情報層を形成し、前記隠蔽情報層上に前記隠蔽情報層を隠蔽する隠蔽層を形成することを特徴とする隠蔽方法である。
【００１９】
この発明によれば、文字、図形、記号等の隠蔽すべき情報が印刷された隠蔽情報層上の全ての面に隠蔽情報層と同一、類似の情報又は隠蔽情報層の情報となり得る情報が印刷された疑似情報層が設けられるため、印刷物に強力な光を当てて、当該基材を裏面から見たとしても、隠蔽すべき情報とこれに同一又は類似の情報や隠蔽すべき情報となり得る情報がいずれも視認できる。そのため、このように外部から隠蔽情報を知ろうとした人も、隠蔽情報層と疑似情報層との情報が同様に見えるので、基材上の隠蔽すべき情報がわからなくなり、効果的に隠蔽情報層に印刷された情報を隠蔽できる。
【発明の効果】
【００２０】
本発明の印刷物によれば、隠蔽された情報が外部から判別できず、十分な隠蔽性を有するとともに、製造工程が簡易であり、製造コストが低減できる隠蔽層付の印刷物を提供することができる。本発明の印刷物の製造方法によれば、十分な隠蔽性を有する隠蔽層付の印刷物を製造することができ、製造工程が簡易であり、製造コストも低減できる。また、本発明の隠蔽方法によれば、印刷された隠蔽する情報に十分な隠蔽性を付与し、隠蔽された情報が外部から判別できないようにすることができる。
【発明を実施するための最良の形態】
【００２１】
本発明の印刷物、印刷物の製造方法、隠蔽方法について、図面を参照して説明する。なお、図１は、本発明の印刷物の断面図を示し、図２乃至図４は、本発明の各実施形態の印刷物の正面図、隠蔽層を剥がした状態の正面図、断面図、背面図を示す。
【００２２】
（印刷物の層構成）
図１（ａ）に示すように、本発明の印刷物１０ａは、基材１１上に、文字、図形、記号等の隠蔽すべき情報が印刷された隠蔽情報層１２と、隠蔽すべき情報と同一の情報、隠蔽すべき情報と類似の情報又は隠蔽すべき情報となり得る情報の少なくともいずれか一が印刷された疑似情報層１３と、隠蔽層１４と、が必須の構成として設けられ、隠蔽情報層１２上の全ての面に疑似情報層１３が設けられる。また、図１（ｂ）に示すように、本発明の印刷物１０ｂは、隠蔽情報層１２を保護する透明保護層１５がさらに設けられていてもよく、図１（ｃ）に示すように、本発明の印刷物１０ｃは、隠蔽層１４の下に、隠蔽層１４を剥離しやすくするために、剥離層１６がさらに設けられていてもよい。
【００２３】
また、疑似情報層１３と隠蔽層１４とは、本発明の印刷物に必須の構成として設けられるが、その積層順は限定されない。例えば、図１（ａ）から図１（ｃ）に示すように、本発明の印刷物１０ａ、１０ｂ、１０ｃは、隠蔽層１４上に疑似情報層１３が設けられていてもよいし、図１（ｄ）に示すように、本発明の印刷物１０ｄは、疑似情報層１３上に隠蔽層１４が設けられていてもよい。
【００２４】
以下に、本発明の印刷物を構成する各層について説明する。なお、本発明における上下の語は、図１における各断面図に示すように、基材１１を下側とし、他の隠蔽情報層１２、疑似情報層１３、隠蔽層１４等を上側とした製造状態における上下を示す。また、以下においては各図に記載の印刷物を総称して印刷物１０ともいう。
【００２５】
基材１１は、隠蔽情報層１２等の各層をその上に積層する基材となるものである。基材の材料は、従来から隠蔽層付の印刷物、いわゆるスクラッチカードや通知はがき等に用いられている基材であれば特に限定されないが、具体的には、上質紙、中質紙、コート紙、合成紙、含浸紙、ラミネート紙、金属蒸着紙、印刷用塗工紙、記録用塗工紙等の紙、ポリエチレンテレフタレートフィルム、ポリエチレンフィルム、ポリプロピレンフィルム、ポリカーボネートフィルム等のプラスチックフィルム、金属箔、あるいはそれらの複合体等が用いられる。基材１１の材料は、印刷物１０に要求される強度や用途等に応じて適宜選択することができる。
【００２６】
隠蔽情報層１２は、文字、図形、記号等の隠蔽すべき情報が印刷された層である。この隠蔽すべき情報としては、あたり・はずれのくじであれば「あたり」、「はずれ」等の文字、数字や記号をあわせるくじであれば数字や記号、金額を知らせる通知であればその金額の数字、試験の合否等を知らせる通知であれば「合格」、「不合格」等の文字など、用途に応じて種々の文字、図形、記号等の情報となる。
【００２７】
隠蔽情報層１２を形成する材料は、基材１１または図示しない隠蔽情報層１２の直下の層に密着できる材料であれば特に限定されないが、例えば、基材１１または隠蔽情報層１２の直下の層と異なる色の着色剤がバインダーとなる樹脂に含有されたものが用いられる。バインダー樹脂としては、公知のバインダー樹脂が用いられるが、例えば、ポリエステル樹脂、ウレタン樹脂、エポキシ樹脂、メラミン樹脂、アルキド樹脂、フェノール樹脂、アクリル樹脂等が用いられる。また、着色剤としては、公知の着色剤が用いられるが、例えば、酸化チタン、亜鉛華、カーボンブラック、酸化鉄、鉄黄、群青、メタリック顔料、パール顔料等が用いられる。
【００２８】
隠蔽情報層１２は、上述のバインダー樹脂及び着色剤を分散・混合させたインキを用いて印刷される。このインキの溶媒としては隠蔽情報層１２を形成する印刷方法に応じたものを使用すればよく、また、バインダー樹脂、着色層、インキの溶媒等の混合割合も特に限定されず、隠蔽情報層１２を適切に印刷できる混合割合とすればよい。隠蔽情報層１２用のインキには、これらの基本的な構成に加えて、他の添加物を添加することができる。また、上述のインキ以外にも、後述する印刷方法によってはトナー（着色粉末）やインクリボン等を使用することができる。
【００２９】
隠蔽情報層１２の形成方法は、上述のように印刷方法であれば特に限定されないが、例えば、シルクスクリーン印刷、サーマルヘッドによる感熱リボン転写による印刷、インキジェット印刷、レーザー等によるトナー転写方式による印刷、ドットインパクト方式による印刷、オフセット印刷、グラビア印刷、フレキソ印刷等が挙げられる。隠蔽情報層１２は、市販のインクジェットプリンタやレーザプリンタを用いて印刷を行い、形成することも可能である。
【００３０】
疑似情報層１３は、隠蔽情報層１２において隠蔽すべき情報と同一の情報、隠蔽すべき情報と類似の情報又は隠蔽すべき情報となり得る情報の少なくともいずれか一が印刷された層である。疑似情報層１３としてこのような情報を印刷することにより、隠蔽情報を不正に見ようとした人が印刷物１０に強い光を当てて裏面から見た場合にも、見えた情報のうち、どれが隠蔽情報であり、どれが疑似情報であるのか判別できなくなる。
【００３１】
疑似情報層１３は、少なくとも隠蔽情報層１２上の全面に設けられる。ここで、図２を参照すると、図２（ｂ）に示す隠蔽情報層１２の隠蔽情報が「◎◎◎」である場合に、図２（ａ）に示す疑似情報層１３の疑似情報は、隠蔽情報と同一の「◎◎◎」の他、「△△△」、「×××」等の隠蔽情報と類似する情報（隠蔽情報となり得る情報）を含んだ情報とすることができる。また、図３を参照すると、図３（ｂ）に示す隠蔽情報層１２の隠蔽情報が「◎◎◎」である場合に、図３（ａ）に示す疑似情報層１３の疑似情報は、隠蔽情報と類似し、「◎◎◎」を全て覆うことのできる「●●●」の他、「▲▲▲」、「■■■」等の隠蔽情報と類似する情報を含んだ情報とすることができる。
【００３２】
他の疑似情報層１３の疑似情報の例を説明する。印刷物１０があたり・はずれのスクラッチくじであり、隠蔽情報層１２の情報が「あたり」の文字である場合には、疑似情報層１３の疑似情報は、隠蔽情報層１２の情報と同一の「あたり」の情報と、隠蔽情報となり得る「はずれ」の情報を含むものである。また、印刷物１０が数字をあわせるスクラッチくじであり、隠蔽情報層１２の情報が「３」である場合に、疑似情報層１３の疑似情報は、隠蔽情報層１２の数字がわからないように、隠蔽情報と類似し、隠蔽情報となり得る「８」の情報を羅列したものとすることができる。印刷物１０がこのようなスクラッチくじ等の場合には、図１（ａ）〜図１（ｃ）及び後述する図２、図３のように、疑似情報層１３が印刷物１０の表面に見えるように形成されたものとしてもよいし、図１（ｄ）及び後述する図４のように、疑似情報層１３が印刷物１０の表面から見えないように、隠蔽層１４で覆われて形成されたものとしてもよい。
【００３３】
また、例えば、印刷物１０が金額を知らせる通知であり、隠蔽情報層１２の隠蔽情報である金額が「５６７，０００」円である場合には、疑似情報層１３の疑似情報は、当該金額がわからないように、かつ、隠蔽情報を上部から隠蔽するように、隠蔽情報と類似し、隠蔽情報となり得る「８８８，８８８，８８８」の情報とすることができる。なお、このとき、隠蔽情報及び疑似情報の数字の字体を、疑似情報層１３により隠蔽情報層１２が隠蔽できるような字体にすることが好ましい。印刷物１０が試験の合否等を知らせる通知であり、隠蔽情報層１２の隠蔽情報が「合格」である場合には、疑似情報層１３の疑似情報は、隠蔽情報層１２の情報と同一の「合格」の情報と、これに類似し隠蔽情報となり得る「不合格」の情報を含む情報とすることができる。このように、印刷物１０が重要な通知である場合には、図１（ｄ）及び後述する図４のように、疑似情報層１３も印刷物１０の表面から見えないように、疑似情報層１３が隠蔽層１４で覆われて形成された印刷物１０とすることが好ましい。
【００３４】
疑似情報層１３の材料や形成するインキ、形成方法等は、上述の隠蔽情報層１２と同様である。また、一の印刷物１０においては、隠蔽情報層１２と疑似情報層１３との色が同一であるか、疑似情報層１３の方が濃い方が好ましい。このことにより、隠蔽情報層１２の情報を、疑似情報層１３により覆ったときに、印刷物１０に強い光を当てて裏面から見た場合にも、どれが隠蔽情報で、どれが疑似情報であるのか判別できなくなる。
【００３５】
隠蔽層１４は、隠蔽情報層１２の隠蔽すべき情報を隠蔽する層であり、隠蔽情報層１２と疑似情報層１３と重複する位置を必ず含んで形成されることが好ましい。また、隠蔽層１４は、硬貨や爪で引っ掻くこと、セロハンテープを貼り付けて剥がすこと、端から全体を引き剥がすこと、等により印刷物１０の基材１１から剥離可能となっている。
【００３６】
隠蔽層１４を形成する材料は、疑似情報層１２上に形成することができ、剥離可能な材料であれば特に限定されないが、着色剤がバインダー樹脂に含有されたものが用いられる。バインダー樹脂としては、公知のバインダー樹脂が用いられるが、例えば、ゴム系天然樹脂（天然ゴム，塩酸ゴム等）、ジエン系樹脂（ポリブタジエン，スチレン・ブタジエン共重合体，アクリロニトリル・ブタジエン共重合体，ポリイソプレン，ポリクロロプレン等）や、アクリル系樹脂、ビニル系樹脂等が用いられる。また、着色剤としては、公知の着色剤が用いられるが、例えば、下層の隠蔽性を得るために、金属系微粉末（アルミニウム微粉末，黄銅微粉末，銅微粉末等）やそれらの酸化微粉末等が用いられる。
【００３７】
隠蔽層１４は、上述のバインダー樹脂及び着色剤を分散・混合させたインキまたは塗工液を用いて印刷または塗布される。このインキまたは塗工液の溶媒としては隠蔽層１４を形成する印刷方法や塗布方法に応じたものを使用すればよく、また、バインダー樹脂、着色層、インキまたは塗工液の溶媒等の混合割合も特に限定されず、隠蔽層１４を適切に印刷できる混合割合とすればよい。隠蔽層１４用のインキまたは塗工液には、これらの基本的な構成に加えて、他の添加物を添加することができる。
【００３８】
隠蔽層１４の形成方法は、上述のように印刷方法または塗布方法であれば特に限定されないが、例えば、シルクスクリーン印刷法、グラビアコート法、バーコート法、ロールコート法、オフセット印刷法、フレキソ印刷法等が挙げられる。
【００３９】
また、隠蔽層１４は、基材１１上に剥離可能な樹脂フィルムが貼り付けられたものであってもよい。このような樹脂フィルムとしては、ポリエステル樹脂、ポリスチレン樹脂、アクリル樹脂、ポリウレタン樹脂、アクリルウレタン樹脂等が用いられる。
【００４０】
透明保護層１５は、本発明の印刷物１０に任意に設けられるものであり、隠蔽層１４が削られる等により剥離される際に、隠蔽情報層１２が一緒に剥離されないように保護する層である。
【００４１】
透明保護層１５を形成する材料は、形成した後に透明または半透明であり、隠蔽情報を視認できるものであれば特に限定されないが、バインダー樹脂としてフェノール樹脂、キシレン樹脂、尿素樹脂、メラミン樹脂、ケトン樹脂、アルキッド樹脂、ポリアミド樹脂、アクリル樹脂、ポリ塩化ビニル樹脂、塩化ビニル／酢酸ビニル共重合樹脂、ポリ酢酸ビニル樹脂、ポリビニルアルコール樹脂、ポリビニルブチラール樹脂、ポリスチレン樹脂、エポキシ樹脂、ポリウレタン樹脂、その他にＵＶ硬化型樹脂、ＥＢ硬化型樹脂等の放射線硬化型樹脂を含有するインキ組成物や、ＯＰニス等が用いられる。また、透明保護層１５は、隠蔽情報層１２上にビニール貼りを行ったものでもよい。
【００４２】
透明保護層１５は、上述のバインダー樹脂を含有するインキ組成物を分散・混合させたインキやＯＰニスを用いて印刷または塗布される。このインキの溶媒としては透明保護層１５を形成する印刷方法に応じたものを使用すればよく、また、バインダー樹脂とインキの溶媒等の混合割合も特に限定されず、透明保護層１５を適切に印刷できる混合割合とすればよい。透明保護層１５用のインキには、これらの基本的な構成に加えて、他の添加物を添加することができる。
【００４３】
透明保護層１５の形成方法は、印刷方法や塗布方法であれば特に限定されないが、オフセット印刷法、シルクスクリーン印刷法、グラビア印刷法、フレキソ印刷法等が挙げられる。
【００４４】
剥離層１６は、本発明の印刷物１０に任意に設けられるものであり、隠蔽層１４が削られる等により剥離されやすくするために設けられる層である。剥離層１６は、隠蔽情報層１２又は透明保護層１５上に設けられ、剥離層１６の上部の隠蔽層１４を含む層が剥離されることとなる。隠蔽層１４の直下の層、例えば透明保護層１５が剥離性を有する場合には、剥離層１６は設けなくてもよい。
【００４５】
剥離層１６を形成する材料としては、上述の機能を有するものであれば特に限定されないが、例えば、ポリウレタン／アクリル樹脂、ポリアミド樹脂、ニトロセルロース樹脂に添加剤としてシリコンやワックス（ポリエチレンワックス等）を添加した剥離ニス等が用いられる。剥離層１６の形成方法も、特に限定されないが、スクリーン印刷法、グラビア印刷法、オフセット印刷法、フレキソ印刷法等が用いられる。
【００４６】
なお、本発明の印刷物１０を形成する各層の層厚は、特に限定されず、各層の機能を有する範囲で適宜設定される。本発明の印刷物１０には、図示しないが、上述の必須の層及び任意に設けられる層以外にさらに他の層を設けてもよい。本発明の印刷物１０は、層構成を工夫したものであるが、各層は従来公知の材料や方法で形成することができるため、複雑な製造工程が不要であり、製造コストも従来の印刷物より極端にあがることがない。特に、本発明の印刷物１０は、隠蔽情報層１２の隠蔽情報を印刷物１０により異ならせることとなるが、疑似情報層１３の疑似情報は一のシリーズにおける全ての印刷物１０において同一にすることができ、隠蔽情報によって構成を変える必要がないため、製造上の手間が低減し、コストが上昇しない。
【００４７】
なお、本発明の印刷物１０の製造方法は、上述の各層の形成方法に示した通りであり、基材１１上に、文字、図形、記号等の隠蔽すべき情報が印刷された隠蔽情報層１２を形成し、隠蔽情報層１２上の全ての面に隠蔽情報層１２と同一又は類似の情報が印刷された疑似情報層１３を形成し、隠蔽情報層１３上に隠蔽情報層１２を隠蔽する隠蔽層１４を形成する。また、本発明の隠蔽方法は、文字、図形、記号等の隠蔽すべき情報が印刷された隠蔽情報層１２が形成された基材１１上に、隠蔽情報層１２上の全ての面に隠蔽情報層１２と同一又は類似の情報が印刷された疑似情報層１３を形成し、隠蔽情報層１２上に隠蔽情報層１２を隠蔽する隠蔽層１４を形成するものである。
【００４８】
（印刷物の実施形態）
図２乃至図４を用いて本発明の印刷物の具体例を説明する。図２乃至図４においては、各図の（ａ）に印刷物１０を基材１１の隠蔽情報層１２等を有する側から見た正面図、各図の（ｂ）に（ａ）の印刷物１０の隠蔽層１４及び疑似情報層１３を削って剥離した後の隠蔽情報層１２を示す図、各図の（ｃ）に（ａ）の印刷物１０の断面図、各図の（ｄ）に（ａ）の印刷物１０に強力な光を当てて、基材１１の隠蔽情報層１２等を有しない側から見た背面図、を示す。
【００４９】
まず、図２に示す第一実施形態の印刷物は、図１（ｂ）と同様の層構成を有する印刷物１０ｅである。図２（ａ）に示すように、印刷物１０ｅの外観は、基材１１上の隠蔽層１４上に隠蔽情報となり得る疑似情報（疑似情報層１３）がちりばめられており、図２（ｂ）に隠蔽層１４と疑似情報層１３とを剥離した印刷物１０ｅを示すように、実際の隠蔽情報（隠蔽情報層１２）は、各疑似情報の横方向中央、縦方向下の「◎◎◎」である。また、図２（ｃ）に、図２（ａ）のＸ−Ｘ断面図を示ように、疑似情報層１３は、少なくとも隠蔽情報層１２の全ての面上に形成されている必要がある。図２の各図においては、隠蔽情報層１２と同一の情報を含む疑似情報層１３を形成している。
【００５０】
図２（ａ）に示す印刷物１０ｅを裏返し、基材１１の隠蔽情報層１２を有する側から強力な光を当てた場合にも、図２（ｄ）に示すように、隠蔽層１４の影の中に全ての疑似情報が視認できるため、不正に隠蔽情報層１２の隠蔽情報を知ろうとした人も、疑似情報から当該隠蔽情報を判別することができない。
【００５１】
次に、図３に示す第二実施形態の印刷物は、図１（ｂ）と同様の層構成を有する印刷物１０ｆである。図３（ａ）に示すように、印刷物１０ｆの外観は、基材上の隠蔽層１４上に隠蔽情報となり得る情報を覆った形状の疑似情報（疑似情報層１３）がちりばめられており、図３（ｂ）に隠蔽層１４と疑似情報層１３とを剥離した印刷物１０ｆを示すように、実際の隠蔽情報（隠蔽情報層１２）は、各疑似情報の横方向中央、縦方向下の「◎◎◎」である。また、図３（ｃ）に、図３（ａ）のＹ−Ｙ断面図を示ように、疑似情報層１３は、少なくとも隠蔽情報層１２の全ての面上に形成されている必要がある。図３の各図においては、隠蔽情報層１２と同一の情報ではなく、隠蔽情報層の情報を覆う類似の情報を含む疑似情報層１３を形成している。
【００５２】
図３（ａ）に示す印刷物１０ｆを裏返し、基材１１の隠蔽情報層１２を有する側から強力な光を当てた場合にも、図３（ｄ）に示すように、隠蔽層１４の影の中に全ての疑似情報が視認できるため、不正に隠蔽情報層１２の隠蔽情報を知ろうとした人も、疑似情報から当該隠蔽情報を判別することができない。
【００５３】
次に、図４に示す第三実施形態の印刷物は、図１（ｄ）と同様の層構成を有する印刷物１０ｇである。図４（ａ）に示すように、印刷物１０ｇの外観は、基材１１上に隠蔽層１４が形成されており、従来公知の隠蔽層付の印刷物と同様の外観である。また、図４（ｂ）に隠蔽層１４と疑似情報層１３とを剥離した印刷物１０ｇを示すように、印刷物１０ｇの実際の隠蔽情報（隠蔽情報１２）は、各疑似情報の横方向中央、縦方向下の「◎◎◎」である。図４（ｃ）に、図４（ａ）のＺ−Ｚ断面図を示ように、疑似情報層１３は、少なくとも隠蔽情報層１２の全ての面上に形成されている必要がある。図４の各図においては、隠蔽情報層１２と同一の情報を含む疑似情報層１３を形成している。
【００５４】
図４（ａ）に示す印刷物１０ｇを裏返し、基材１１の隠蔽情報層１２を有する側から強力な光を当てた場合にも、図４（ｄ）に示すように、印刷物１０ｇの外観上は明らかでないが、全ての疑似情報層が視認できることとなるため、不正に隠蔽情報層１２の隠蔽情報を知ろうとした人も、当該隠蔽情報を判別することができない。
【図面の簡単な説明】
【００５５】
【図１】本発明の各印刷物の断面図を示す。
【図２】本発明の第一実施形態の印刷物の正面図、隠蔽層を剥がした状態の正面図、断面図、背面図を示す。
【図３】本発明の第二実施形態の印刷物の正面図、隠蔽層を剥がした状態の正面図、断面図、背面図を示す。
【図４】本発明の第三実施形態の印刷物の正面図、隠蔽層を剥がした状態の正面図、断面図、背面図を示す。
【符号の説明】
【００５６】
１０ａ、１０ｂ、１０ｃ、１０ｄ、１０ｅ、１０ｆ、１０ｇ…印刷物
１１…基材
１２…隠蔽情報層
１３…疑似情報層
１４…隠蔽層
１５…透明保護層
１６…剥離層
【図１】
2007130883.tif 000003
【図２】
2007130883.tif 000004
【図３】
2007130883.tif 000005
【図４】
2007130883.tif 000006